(57)【要約】【課題】施工が容易で確実な固定ができる手すりのカウンター固定構造を提供することを目的とする。【解決手段】洗面所などのカウンターに固定する手すりにおいて、前記カウンターの取付面と当接する前記手すりの部位に複数箇所の雌ねじ部を設け、前記カウンターの前記手すりの取付面と反対面から、前記カウンターに予めに開けられた穴に雄ねじを有する固定部材を挿入し、前記雌ねじにねじ込むことにより前記カウンターと前記手すりを固定する構造とした。【選択図】  図１
2004293261.tif 000002
【特許請求の範囲】
【請求項１】
洗面所などのカウンターに固定する手すりにおいて、前記カウンターの取付面と当接する前記手すり端部の内側に１箇所雌ねじ部を設け、前記カウンターの前記手すりの取付面と反対面から、前記カウンターに予めに開けられた穴に雄ねじを有する固定部材を挿入し、前記雌ねじ部にねじ込むことにより前記カウンターと前記手すりを固定することを特徴とする手すりのカウンター固定構造。
【請求項２】
洗面所などのカウンターに固定する手すりにおいて、前記カウンターの取付面と当接する前記手すり端部にカウンター取付側に突設させて１箇所雄ねじ部材を設け、前記カウンターの前記手すりの取付面と反対面から、前記カウンターに予め開けられた穴に前記雄ねじ部材を挿入し、前記カウンターの前記手すりの取付面と反対面から雌ねじ部材を前記雄ねじ部材にねじ込むことにより前記カウンターと前記手すりを固定することを特徴とする手すりのカウンター固定構造。
【請求項３】
請求項１又は２の手すりの固定構造において、前記カウンターの取付面と当接する前記手すり端部に化粧カバーを取付けた構造とすることを特徴とする手すりのカウンター固定構造。
【請求項４】
請求項３の手すりの固定構造において、前記化粧カバーの内部にコーキングを行なった構造とすることを特徴とする手すりのカウンター固定構造。
【請求項５】
請求項３又は請求項４の手すりの固定構造において、前記カウンターの取付面と当接する前記化粧カバーの部位に、パッキンを貼り付けた構造とすることを特徴とする手すりのカウンター固定構造。
【発明の詳細な説明】
【０００１】
【発明の属する技術分野】
本発明は、洗面所等に設置されているカウンターに手すりを固定する構造に関するものである。
【０００２】
【従来の技術】
従来技術としては、手すりをカウンターに固定する場合、ボルトとナットを固定箇所１箇所に対し、複数個使用していた。
図６は、従来の手すりのカウンターへの固定構造を示す斜視図である。図６において、１００は手すりを、１０１はカウンターを示す。手すり１００は、後に図７に示すＡ部の構造でカウンター１０１に固定されており、カウンター１０１は壁面１０２に図示しないブラケット等で固定されている。
【０００３】
図７は、図６に示す従来のカウンターへの固定構造の手すりとカウンターの固定部分を示す断面図である。
図７において、１００は手すりを、１０１はカウンターを示す。１は手すり１００の固定用のフランジを示し、フランジ１にはボルト２を通す為の穴６が複数箇所開けられている。カウンター１０１には、手すり１００を固定する為の穴６と同じ数の穴５が開けられており、穴５の位置はフランジ１に開けられている穴６と略同一位置関係である。手すり１００は、フランジ１を穴５と穴６が合うようにカウンター１０１の手すり設置面であるＰ側に設置し、Ｐ側から座金３を通したボルト２を穴５及び穴６に通し、カウンター１０１の手すり設置面と反対面のＱ側から座金３とナット４により固定される。カウンター１０１使用時に飛び跳ねた水が、カウンター１０１のＰ側からＱ側に浸入しないように、フランジ１に化粧カバー７を取付けるよう構成されている。
【０００４】
【発明が解決しようとする課題】
図７に示した従来技術では、フランジ１に開けられた穴６の数に、手すり１００の固定箇所Ａの数を掛けた箇所の穴５をカウンター１０１に開ける必要があり、施工に長い時間を要していた。
【０００５】
また、穴５をフランジ１の穴６と略同一位置に複数箇所開ける必要があるため、穴５の位置が１箇所でもずれてしまうと、手すり１００がカウンター１００に固定できない場合もあった。
【０００６】
また、ボルト２とナット４を締結する際には、カウンター１０１のＱ側にもぐりこんで施工する必要があり、Ｑ側でナット４を回すとボルト１も供回りしてしまう為、１人で施工することが困難であった。
【０００７】
また、手すりと化粧カバーの隙間から浸入した水が、カウンターの裏面に回ることを防ぐために、フランジ１とカウンター１０１のＰ側にパッキンを挟んで締め付ける場合、締め込むボルトを均等に締め込む必要があり施工に注意が必要であり、この締め込みが均等でないと水がカウンターの裏面に回ることも発生する。
【０００８】
そこで、本発明では上記の問題点を解決する為、施工が容易で確実な固定ができ、カウンター裏面への水の浸入を容易に防止できる手すりのカウンター固定構造を提供することを目的とする。
【０００９】
【課題を解決するための手段】
本発明の請求項１では、洗面所などのカウンターに固定する手すりにおいて、前記カウンターの取付面と当接する前記手すり端部の内側に１箇所雌ねじ部を設け、前記カウンターの前記手すりの取付面と反対面から、前記カウンターに予めに開けられた穴に雄ねじを有する固定部材を挿入し、前記雌ねじ部にねじ込むことにより前記カウンターと前記手すりを固定する構造とした。
【００１０】
これにより、カウンターへ事前に開ける穴の数が減少し、またボルトも少なくてよい為、低コストで、省施工が可能となる。
【００１１】
本発明の請求項２では、洗面所などのカウンターに固定する手すりにおいて、前記カウンターの取付面と当接する前記手すり端部にカウンター取付側に突設させて１箇所雄ねじ部材を設け、前記カウンターの前記手すりの取付面と反対面から、前記カウンターに予め開けられた穴に前記雄ねじ部材を挿入し、前記カウンターの前記手すりの取付面と反対面から雌ねじ部材を前記雄ねじ部材にねじ込むことにより前記カウンターと前記手すりを固定する構造とした。
【００１２】
これにより、カウンターへ事前に開ける穴の数が減少し、またナットも少なくてよい為、低コストで、省施工が可能となる
【００１３】
本発明の請求項３では、請求項１又は２の手すりの固定構造において、前記カウンターの取付面と当接する前記手すり端部に化粧カバーを取付けた構造とした。
【００１４】
これにより、手すりの端面が直接カウンターと接しない為、施工時に位置決めを行なう際に、カウンターとの取付面を移動させる際に、手すりの端面でカウンターを傷つけること無く、また手すりの接合部の端面を隠すことが可能となり、意匠を向上させることが可能となる。
【００１５】
本発明の請求項４では、請求項３の手すりの固定構造において、前記化粧カバーの内部にコーキングを行なった構造とした。
【００１６】
これにより、手すりと化粧カバーの隙間から浸入した水が、カウンターの裏面に回ることを防ぐことが出来、建築矩体への漏水を防ぐことが可能となる。
【００１７】
本発明の請求項５では、請求項３又は請求項４の手すりの固定構造において、前記カウンターの取付面と当接する前記化粧カバーの部位に、パッキンを貼り付けた構造とした。
【００１８】
これにより、手すりと化粧カバーの隙間から浸入した水のみならず、カウンターと化粧カバーの隙間から浸入した水が、カウンターの裏面に回ることを防ぐことが出来、請求項４の構造よりも更に強力に、建築矩体への漏水を防ぐことが可能となる。
【００１９】
【発明の実施の形態】
以下に図面を参照して本発明をより具体的に説明する。
【００２０】
図１は、本発明の一実施形態を示す手すりをカウンターに設置する場合の固定構造を示した断面図である。
図１において、１００Ａは手すりを、１０１はカウンターを示す。１Ａは、手すり１００Ａ端部の内側にの固定用のブッシュを示し、ブッシュ１Ａには雄ねじを有する固定部材であるボルト４をねじ込む為の雌ねじ穴６Ａが１箇所開けられている。ブッシュ１Ａは、手すり１００Ａの内部に溶接等により固定されている。カウンター１０１には、ボルト４をねじ込む為の穴５が１箇所開けられている。
【００２１】
手すり１００Ａは、ブッシュ１Ａを穴５と雌ねじ穴６Ａが合うようにカウンター１０１の手すり設置面であるＰ側に設置し、カウンター１０１の手すり設置面と反対面のＱ側から座金３を通したボルト４を穴５に通し、ブッシュ１Ａの雌ねじ穴６Ａにねじ込むことにより固定される。このように、直接ブッシュ１Ａに設けた雌ねじ穴６Ａにボルトをねじ込むことが可能となり、且つ固定箇所が図７に示した構造のように複数箇所では無く１箇所となる為、図７の従来構造より更に容易に施工することが可能となる。
【００２２】
図２は、本発明の別の実施形態を示す手すりをカウンターに設置する場合の固定構造を示した断面図である。
図２において、１００Ｂは手すりを、１０１はカウンターを示す。１Ｂは手すり１００Ｂの固定用のブッシュを示し、ブッシュ１Ｂには雄ねじ部材であるボルト２Ｂが溶接等により１箇所固定されている。カウンター１０１には、ボルト２Ｂを挿入する為に、ボルト２Ｂを挿入する為の穴５が１箇所開けられている。
【００２３】
手すり１００Ｂは、ブッシュ１Ｂに設けられたボルト２Ｂを穴５に挿入して、カウンターの手すり設置面であるＰ側に設置し、カウンターの手すり設置面と反対面のＱ側からボルト２Ｂに座金３を通し、雌ねじ部材であるナット４をねじ込むことにより固定される。これにより、カウンターの上面であるＰ側から、ブッシュ１Ｂに設けたボルト２Ｂをカウンター１０１の穴５に挿入することで位置決めが行なえるので、図１の構造の様に、暗くて狭いカウンター１０１の下面であるＱ側から、手すり１００Ａに設けた雌ねじ６Ａを探しながらボルト４をねじ込む必要が無く、図１の構造よりも更に容易な施工が可能となる。
【００２４】
図３は、本発明の別の実施形態を示す手すりをカウンターに設置する場合の固定構造を示した断面図である。
図３において、１００Ａは手すりをを示す。１Ａは手すり１００Ａの固定用のブッシュを示し、ブッシュ１Ａにはボルトをねじ込む為の雌ねじ穴６Ａが１箇所開けられている。ブッシュ１Ａは、手すり１００Ａの内部に溶接等により固定されている。手すり１００Ａの端面８Ａには、化粧カバー９Ａが端面８Ａを覆うように設置されている。
【００２５】
これにより、手すり１００Ａの端面８Ａが直接図示しないカウンターに接しない為、施工時に手すり１００Ａを図示しないカウンターとの接触面上を移動させたりする場合に、端面８Ａで図示しないカウンターの接触面を傷つけること無く、また端面８Ａを隠すことが可能となり、意匠性を向上させることが可能となる。
【００２６】
図４は、本発明の別の実施形態を示す手すりをカウンターに設置する場合の固定構造を示した断面図である。
図４において、１００Ａは手すりをを示す。１Ａは手すり１００Ａの固定用のブッシュを示し、ブッシュ１Ａにはボルトをねじ込む為の雌ねじ穴６Ａが１箇所開けられている。ブッシュ１Ａは、手すり１００Ａの内部に溶接等により固定されている。手すり１００Ａの端面８Ａには、化粧カバー９Ａが端面８Ａを覆うように設置されている。化粧カバー９Ａと手すり１００Ａの間には、コーキング１０Ａが施されている。
【００２７】
これにより、手すり１００Ａと化粧カバー９Ａの隙間から浸入した水が、図示しないカウンターの裏面に回ることを防ぐことが出来、図示しない建築矩体への漏水を防ぐことが可能となる。
【００２８】
図５は、本発明の別の実施形態を示す手すりをカウンターに設置する場合の固定構造を示した断面図である。
図５において、１００Ａは手すりをを示す。１Ａは手すり１００Ａの固定用のブッシュを示し、ブッシュ１Ａにはボルトをねじ込む為の雌ねじ穴６Ａが１箇所開けられている。ブッシュ１Ａは、手すり１００Ａの内部に溶接等により固定されている。手すり１００Ａの端面８Ａには、化粧カバー９Ａが設置されている。化粧カバー９Ａと手すり１００Ａの間には、コーキング１０Ａが施されている。化粧カバー９Ａの底面１１Ａには、中央に穴が開いたパッキン１２Ａが貼り付けられている。
【００２９】
これにより、手すりと１００Ａと化粧カバー９Ａの隙間から浸入した水のみならず、図示しないカウンターと化粧カバー９Ａの隙間から浸入した水が、図示しないカウンターの裏面に回ることを防ぐことが出来、図４の構造よりも更に強力に、図示しない建築矩体への漏水を防ぐことが可能となる。
【００３０】
【発明の効果】
本発明は上記構成により次の効果を発揮する。
本発明の請求項１では、洗面所などのカウンターに固定する手すりにおいて、前記カウンターの取付面と当接する前記手すり端部の内側に１箇所雌ねじ部を設け、前記カウンターの前記手すりの取付面と反対面から、前記カウンターに予めに開けられた穴に雄ねじを有する固定部材を挿入し、前記雌ねじ部にねじ込むことにより前記カウンターと前記手すりを固定する構造とした。
これにより、カウンターへ事前に開ける穴の数が減少し、またボルトも少なくてよい為、低コストで、省施工が可能となる。
【００３１】
本発明の請求項２では、洗面所などのカウンターに固定する手すりにおいて、前記カウンターの取付面と当接する前記手すり端部にカウンター取付側に突設させて１箇所雄ねじ部材を設け、前記カウンターの前記手すりの取付面と反対面から、前記カウンターに予め開けられた穴に前記雄ねじ部材を挿入し、前記カウンターの前記手すりの取付面と反対面から雌ねじ部材を前記雄ねじ部材にねじ込むことにより前記カウンターと前記手すりを固定する構造とした。
これにより、カウンターへ事前に開ける穴の数が減少し、またナットも少なくてよい為、低コストで、省施工が可能となる
【００３２】
本発明の請求項３では、請求項１又は２の手すりの固定構造において、前記カウンターの取付面と当接する前記手すり端部に化粧カバーを取付けた構造とした。
これにより、手すりの端面が直接カウンターと接しない為、施工時に位置決めを行なう際に、カウンターとの取付面を移動させる際に、手すりの端面でカウンターを傷つけること無く、また手すりの接合部の端面を隠すことが可能となり、意匠を向上させることが可能となる。
【００３３】
本発明の請求項４では、請求項３の手すりの固定構造において、前記化粧カバーの内部にシーリングを行なった構造とした。
これにより、手すりと化粧カバーの隙間から浸入した水が、カウンターの裏面に回ることを防ぐことが出来、建築矩体への漏水を防ぐことが可能となる。
【００３４】
本発明の請求項５では、請求項３又は請求項４の手すりの固定構造において、前記カウンターの取付面と当接する前記化粧カバーの部位に、パッキンを貼り付けた構造とした。
これにより、手すりと化粧カバーの隙間から浸入した水のみならず、カウンターと化粧カバーの隙間から浸入した水が、カウンターの裏面に回ることを防ぐことが出来、請求項４の構造よりも更に強力に、建築矩体への漏水を防ぐことが可能となる。
【図面の簡単な説明】
【図１】本発明の一実施形態を示す手すりをカウンターに設置する場合の固定構造を示した断面図である。
【図２】本発明の別の実施形態を示す手すりをカウンターに設置する場合の固定構造を示した断面図である。
【図３】本発明の別の実施形態を示す手すりをカウンターに設置する場合の固定構造を示した断面図である。
【図４】本発明の別の実施形態を示す手すりをカウンターに設置する場合の固定構造を示した断面図である。
【図５】本発明の別の実施形態を示す手すりをカウンターに設置する場合の固定構造を示した断面図である。
【図６】従来の手すりのカウンターへの固定構造を示す斜視図である。
【図７】従来のカウンターへの固定構造の手すりとカウンターの固定部分を示す断面図である。
【符号の説明】
１：フランジ
１Ａ：ブッシュ
２、２Ｂ：ボルト
３：座金
４：ナット
５：穴
６：穴
６Ａ：雌ねじ穴
７：カバー
８Ａ：端面
９Ａ：化粧カバー
１０Ａ：コーキング
１１Ａ：底面
１２Ａ：パッキン
１００、１００Ａ：手すり
１０１：カウンター
【図１】
2004293261.tif 000003
【図２】
2004293261.tif 000004
【図３】
2004293261.tif 000005
【図４】
2004293261.tif 000006
【図５】
2004293261.tif 000007
【図６】
2004293261.tif 000008
【図７】
2004293261.tif 000009